(57)【要約】【課題】注目画素が赤色成分画素又は青色成分画素でありその注目画素が画像の境界上にある場合でも欠陥画素の検出が可能である欠陥画素検出装置を提供する。【解決手段】ベイヤー配列の画像データの注目画素が赤（青）色成分画素である場合に、注目画素周辺の赤（青）色成分画素の画素データに基づいて注目画素が欠陥画素であるか否かを判定する第１判定部と、第１判定部によって否と判定された場合に、注目画素が注目画素と同色成分の濃度境界上にあって、注目画素と同色成分の濃度境界と緑色成分の濃度境界とに相関があるか否かを判定する第２判定部と、第１判定部によって否と判定されなかった場合又は第２判定部によって否と判定されなかった場合に、注目画素を欠陥画素として検出する検出部とを備える欠陥画素検出装置。【選択図】図２Ａ
2008131158.tif 000002
【特許請求の範囲】
【請求項１】
ベイヤー配列の画像データの欠陥画素を検出する欠陥画素検出装置であって、
注目画素が赤色成分画素又は青色成分画素である場合に、所定の画素数からなり前記注目画素が含まれる画素ブロックに属する前記注目画素と同色成分の画素の画素データに基づいて前記注目画素が欠陥画素であるか否かを判定する第１判定部と、
前記第１判定部によって前記注目画素が欠陥画素でないと判定された場合に、前記注目画素が前記注目画素と同色成分の濃度境界上にあって、前記注目画素と同色成分の濃度境界と緑色成分の濃度境界とに相関があるか否かを判定する第２判定部と、
前記第１判定部によって前記注目画素が欠陥画素であると判定された場合又は前記第２判定部によって、前記注目画素が前記注目画素と同色成分の濃度境界上にあって、前記注目画素と同色成分の濃度境界と緑色成分の濃度境界とに相関があると判定された場合に、前記注目画素を欠陥画素として検出する第１検出部と、
前記注目画素が緑色成分画素である場合に欠陥画素を検出する第２検出部とを備えることを特徴とする欠陥画素検出装置。
【請求項２】
ベイヤー配列の画像データの欠陥画素を検出する欠陥画素検出装置であって、
注目画素が赤色成分画素又は青色成分画素である場合に、所定の画素数からなり前記注目画素が含まれる画素ブロックに属する前記注目画素と同色成分の画素の画素データに基づいて前記注目画素が欠陥画素であるか否かを判定する第１判定部と、
前記第１判定部によって前記注目画素が欠陥画素でないと判定された場合に、前記注目画素が前記注目画素と同色成分の濃度境界上にあって、前記注目画素と同色成分の濃度境界と緑色成分の濃度境界とに相関があるか否かを判定する第２判定部と、
前記第２判定部によって、前記注目画素が前記注目画素と同色成分の濃度境界上にあって、前記注目画素と同色成分の濃度境界と緑色成分の濃度境界とに相関があると判定された場合に、前記画素ブロックに属する前記注目画素と同色成分の画素であって前記濃度境界に対して前記注目画素と同じ側に属する画素の画素データのみに基づいて前記注目画素が欠陥画素であるか否かを判定する第３判定部と、
前記第１判定部又は前記第３判定部によって前記注目画素が欠陥画素であると判定された場合に、前記注目画素を欠陥画素として検出する第１検出部と、
前記注目画素が緑色成分画素である場合に欠陥画素を検出する第２検出部とを備えることを特徴とする欠陥画素検出装置。
【請求項３】
請求項１又は請求項２に記載の欠陥画素検出装置と、前記欠陥画素検出装置によって検出された欠陥画素の画素データを補正する補正部とを有する画像処理装置を備えることを特徴とする電子機器。
【請求項４】
ベイヤー配列の画像データの欠陥画素を検出するための欠陥画素検出プログラムであって、
コンピュータを、
注目画素が赤色成分画素又は青色成分画素である場合に、所定の画素数からなり前記注目画素が含まれる画素ブロックに属する前記注目画素と同色成分の画素の画素データに基づいて前記注目画素が欠陥画素であるか否かを判定する第１判定手段、
前記第１判定手段によって前記注目画素が欠陥画素でないと判定された場合に、前記注目画素が前記注目画素と同色成分の濃度境界上にあって、前記注目画素と同色成分の濃度境界と緑色成分の濃度境界とに相関があるか否かを判定する第２判定手段、
前記第１判定手段によって前記注目画素が欠陥画素であると判定された場合又は前記第２判定手段によって前記注目画素が前記注目画素と同色成分の濃度境界上にあって、前記注目画素と同色成分の濃度境界と緑色成分の濃度境界とに相関があると判定された場合に、前記注目画素を欠陥画素として検出する第１検出手段、及び
前記注目画素が緑色成分画素である場合に欠陥画素を検出する第２検出手段として機能させるための欠陥画素検出プログラム。
【請求項５】
ベイヤー配列の画像データの欠陥画素を検出するための欠陥画素検出プログラムであって、
コンピュータを、
注目画素が赤色成分画素又は青色成分画素である場合に、所定の画素数からなり前記注目画素が含まれる画素ブロックに属する前記注目画素と同色成分の画素の画素データに基づいて前記注目画素が欠陥画素であるか否かを判定する第１判定手段、
前記第１判定手段によって前記注目画素が欠陥画素でないと判定された場合に、前記注目画素が前記注目画素と同色成分の濃度境界上にあって、前記注目画素と同色成分の濃度境界と緑色成分の濃度境界とに相関があるか否かを判定する第２判定手段、
前記第２判定手段によって、前記注目画素が前記注目画素と同色成分の濃度境界上にあって、前記注目画素と同色成分の濃度境界と緑色成分の濃度境界とに相関があると判定された場合に、前記画素ブロックに属する前記注目画素と同色成分の画素であって前記濃度境界に対して前記注目画素と同じ側に属する画素の画素データのみに基づいて前記注目画素が欠陥画素であるか否かを判定する第３判定手段、
前記第１判定手段又は前記第３判定手段によって前記注目画素が欠陥画素であると判定された場合に、前記注目画素を欠陥画素として検出する第１検出手段、及び
前記注目画素が緑色成分画素である場合に欠陥画素を検出する第２検出手段として機能させるための欠陥画素検出プログラム。
【発明の詳細な説明】
【技術分野】
【０００１】
本発明は、ベイヤー配列の画像データの欠陥画素を検出する欠陥画素検出装置及びそれを備える電子機器並びにベイヤー配列の画像データの欠陥画素を検出するようにコンピュータを機能させるための欠陥画素検出プログラムに関するものである。
【背景技術】
【０００２】
ベイヤー配列の画像データの欠陥画素を検出する欠陥画素検出方法に関する従来技術の一例を以下に説明する。注目画素が赤色成分画素で有る場合、図３に示す注目画素Ｒ33を中心とする５×５画素の画素ブロックを用いて欠陥画素検出を行う。注目画素Ｒ33の信号レベルが注目画素Ｒ33の最も近くに存在する四つの赤色成分画素Ｒ31，Ｒ53，Ｒ35，Ｒ13の信号レベル全てに対して極端に高い場合又は注目画素Ｒ33の最も近くに存在する四つの赤色成分画素Ｒ31，Ｒ53，Ｒ35，Ｒ13の信号レベル全てに対して極端に低い場合に、注目画素Ｒ33は欠陥画素として検出される。
【特許文献１】特開２００５−１２３９４６号公報
【発明の開示】
【発明が解決しようとする課題】
【０００３】
しかしながら、上記欠陥画素検出方法では、図４のように注目画素Ｒ33が画像の境界（色及び／又は輝度の境界）上にあって、画素Ｒ13の信号レベルと画素Ｒ31，Ｒ53，Ｒ35の信号レベルとの差が大きい場合、注目画素Ｒ33の信号レベルの値にかかわらず注目画素Ｒ33は欠陥画素ではないという判定がなされるため、画像の境界上の赤色成分画素が欠陥画素であってもそれを検出することができない。画像の境界が縦方向又は横方向にあり、その境界上に欠陥画素が存在する場合、その欠陥画素は目立つ傷となるため、上記のような検出漏れを防止する必要がある。
【０００４】
注目画素が青色成分画素で有る場合も同様の方法によって欠陥画素を検出するため、同様の問題が生じる。
【０００５】
また、ベイヤー配列の画像データの欠陥画素を検出する欠陥画素検出方法に関する従来技術の他の例として、特許文献１に開示されている欠陥画素検出方法がある。特許文献１に開示されている欠陥画素検出方法は、注目画素と同色成分の周辺画素の信号レベルの分散値を用いることで、欠陥画素検出の誤検出を少なくしているが、注目画素が赤色成分画素又は青色成分画素でありその注目画素が画像の境界上にある場合においては、上記分散値が高い値になるために画像の境界上の注目画素が欠陥画素であってもそれを検出することができないおそれがあった。
【０００６】
本発明は、上記の状況に鑑み、注目画素が赤色成分画素又は青色成分画素でありその注目画素が画像の境界上にある場合でも欠陥画素の検出が可能である欠陥画素検出装置及びそれを備える電子機器並びに欠陥画素検出プログラムを提供することを目的とする。
【課題を解決するための手段】
【０００７】
上記目的を達成するために、本発明に係る欠陥画素検出装置は、ベイヤー配列の画像データの欠陥画素を検出する欠陥画素検出装置であって、注目画素が赤色成分画素又は青色成分画素である場合に、所定の画素数からなり前記注目画素が含まれる画素ブロックに属する前記注目画素と同色成分の画素の画素データに基づいて前記注目画素が欠陥画素であるか否かを判定する第１判定部と、前記第１判定部によって前記注目画素が欠陥画素でないと判定された場合に、前記注目画素が前記注目画素と同色成分の濃度境界上にあって、前記注目画素と同色成分の濃度境界と緑色成分の濃度境界とに相関があるか否かを判定する第２判定部と、前記第１判定部によって前記注目画素が欠陥画素であると判定された場合又は前記第２判定部によって、前記注目画素が前記注目画素と同色成分の濃度境界上にあって、前記注目画素と同色成分の濃度境界と緑色成分の濃度境界とに相関があると判定された場合に、前記注目画素を欠陥画素として検出する第１検出部と、前記注目画素が緑色成分画素である場合に欠陥画素を検出する第２検出部とを備える構成としている。
【０００８】
このような構成によると、注目画素が注目画素と同色成分の濃度境界上にあって、注目画素と同色成分の濃度境界と緑色成分の濃度境界とに相関がある場合は注目画素を欠陥画素として検出するので、注目画素が赤色成分画素又は青色成分画素でありその注目画素が画像の境界上にある場合でも欠陥画素の検出が可能となる。
【０００９】
上記目的を達成するために、本発明に係る欠陥画素検出装置は、ベイヤー配列の画像データの欠陥画素を検出する欠陥画素検出装置であって、注目画素が赤色成分画素又は青色成分画素である場合に、所定の画素数からなり前記注目画素が含まれる画素ブロックに属する前記注目画素と同色成分の画素の画素データに基づいて前記注目画素が欠陥画素であるか否かを判定する第１判定部と、前記第１判定部によって前記注目画素が欠陥画素でないと判定された場合に、前記注目画素が前記注目画素と同色成分の濃度境界上にあって、前記注目画素と同色成分の濃度境界と緑色成分の濃度境界とに相関があるか否かを判定する第２判定部と、前記第２判定部によって、前記注目画素が前記注目画素と同色成分の濃度境界上にあって、前記注目画素と同色成分の濃度境界と緑色成分の濃度境界とに相関があると判定された場合に、前記画素ブロックに属する前記注目画素と同色成分の画素であって前記濃度境界に対して前記注目画素と同じ側に属する画素の画素データのみに基づいて前記注目画素が欠陥画素であるか否かを判定する第３判定部と、前記第１判定部又は前記第３判定部によって前記注目画素が欠陥画素であると判定された場合に、前記注目画素を欠陥画素として検出する第１検出部と、前記注目画素が緑色成分画素である場合に欠陥画素を検出する第２検出部とを備える構成としている。
【００１０】
このような構成によると、注目画素が注目画素と同色成分の濃度境界上にあって、注目画素と同色成分の濃度境界と緑色成分の濃度境界とに相関がある場合に、画素ブロックに属する注目画素と同色成分の画素であって濃度境界に対して注目画素と同じ側に属する画素の画素データのみに基づいて注目画素が欠陥画素であるか否かを判定するので、注目画素が赤色成分画素又は青色成分画素でありその注目画素が画像の境界上にある場合でも欠陥画素の検出が可能となる。
【００１１】
また、上記目的を達成するために、本発明に係る電子機器は、上記いずれかの構成の欠陥画素検出装置と、前記欠陥画素検出装置によって検出された欠陥画素の画素データを補正する補正部とを有する画像処理装置を備える構成としている。本発明に係る電子機器の例としては、カメラ付き携帯電話装置、デジタルスチールカメラ、デジタルビデオカメラ等が挙げられる。
【００１２】
また、上記目的を達成するために、本発明に係る欠陥画素検出プログラムは、ベイヤー配列の画像データの欠陥画素を検出するための欠陥画素検出プログラムであって、コンピュータを、注目画素が赤色成分画素又は青色成分画素である場合に、所定の画素数からなり前記注目画素が含まれる画素ブロックに属する前記注目画素と同色成分の画素の画素データに基づいて前記注目画素が欠陥画素であるか否かを判定する第１判定手段、前記第１判定手段によって前記注目画素が欠陥画素でないと判定された場合に、前記注目画素が前記注目画素と同色成分の濃度境界上にあって、前記注目画素と同色成分の濃度境界と緑色成分の濃度境界とに相関があるか否かを判定する第２判定手段、前記第１判定手段によって前記注目画素が欠陥画素であると判定された場合又は前記第２判定手段によって前記注目画素が前記注目画素と同色成分の濃度境界上にあって、前記注目画素と同色成分の濃度境界と緑色成分の濃度境界とに相関があると判定された場合に、前記注目画素を欠陥画素として検出する第１検出手段、及び前記注目画素が緑色成分画素である場合に欠陥画素を検出する第２検出手段として機能させるようにする。
【００１３】
また、上記目的を達成するために、本発明に係る欠陥画素検出プログラムは、ベイヤー配列の画像データの欠陥画素を検出するための欠陥画素検出プログラムであって、コンピュータを、注目画素が赤色成分画素又は青色成分画素である場合に、所定の画素数からなり前記注目画素が含まれる画素ブロックに属する前記注目画素と同色成分の画素の画素データに基づいて前記注目画素が欠陥画素であるか否かを判定する第１判定手段、前記第１判定手段によって前記注目画素が欠陥画素でないと判定された場合に、前記注目画素が前記注目画素と同色成分の濃度境界上にあって、前記注目画素と同色成分の濃度境界と緑色成分の濃度境界とに相関があるか否かを判定する第２判定手段、前記第２判定手段によって、前記注目画素が前記注目画素と同色成分の濃度境界上にあって、前記注目画素と同色成分の濃度境界と緑色成分の濃度境界とに相関があると判定された場合に、前記画素ブロックに属する前記注目画素と同色成分の画素であって前記濃度境界に対して前記注目画素と同じ側に属する画素の画素データのみに基づいて前記注目画素が欠陥画素であるか否かを判定する第３判定手段、前記第１判定手段又は前記第３判定手段によって前記注目画素が欠陥画素であると判定された場合に、前記注目画素を欠陥画素として検出する第１検出手段、及び前記注目画素が緑色成分画素である場合に欠陥画素を検出する第２検出手段として機能させるようにする。
【発明の効果】
【００１４】
本発明によると、注目画素が赤色成分画素又は青色成分画素でありその注目画素が画像の境界上にある場合でも欠陥画素の検出が可能である。
【発明を実施するための最良の形態】
【００１５】
本発明の実施形態について図面を参照して以下に説明する。本発明に係る電子機器として、ここではカメラ付き携帯電話装置を例に挙げて説明する。
【００１６】
本発明に係るカメラ付き携帯電話装置の概略構成例を図１に示す。光学レンズ系１と、ベイヤー配列のカラーフィルタを有するＣＣＤ等の固体撮像素子２と、固体撮像素子２から出力されるアナログ信号をデジタル信号に変換するＡ／Ｄ変換部３とによって構成されるカメラモジュール４は、ベイヤー配列のデジタル画像データであるＲＡＷ形式の画像データを半導体集積回路装置である画像処理装置５に出力する。
【００１７】
画像処理装置５においては、カメラモジュール４から出力されたＲＡＷ形式の画像データをフレームメモリ６が一時的に保存し、欠陥画素検出装置７がＲＡＷ形式の画像データの欠陥画素を検出し、欠陥画素の画素データを欠陥画素の最も近くに存在する画素であって欠陥画素と同色成分の画素の画素データを演算処理して得られるデータに置換する等の補正処理によって補正部８が欠陥画素の画素データを補正し、画像処理部９が欠陥画素の画素データが補正されたＲＡＷ形式の画像データに色補間等の各種画像処理を施してＲＧＢ画像データを作成する。
【００１８】
ＣＰＵ１１によってプレビューモードに設定されている場合、画像処理装置５は、画像処理部９によって作成されたＲＧＢ画像データを液晶ディスプレイ等の表示装置１２に出力する。これにより、カメラモジュール４によって撮像された画像が表示装置１２に表示される。また、ＣＰＵ１１によって画像記録が指示されると、画像処理装置５は、画像処理部９によって作成されたＲＧＢ画像データをデータ圧縮部１０での圧縮処理により圧縮画像データに変換した後、メモリカード等の外部記憶媒体が着脱可能に装着される記憶媒体インターフェース１３にその圧縮画像データを出力し、その圧縮画像データを外部記憶媒体に書き込む。これにより、カメラモジュール４によって撮像された画像の圧縮データが外部記憶媒体に記録される。
【００１９】
また、図１に示す本発明に係るカメラ付き携帯電話装置は、アンテナ１４と、アンテナ１４を介して基地局と送受信する無線部１５と、着信を音や振動によって報知する報知部１６と、キー入力部１７と、音声通話時に操作者が発する音声を入力して電気信号に変換する音声入力部１８と、音声通話時に相手方の音声に応じた電気信号を音声に変換して出力する音声出力部１９とを備えている。なお、表示装置１２は、ＣＰＵ１１の制御によって電話番号等の表示も行う。
【００２０】
次に、欠陥画素検出装置７の動作について詳細に説明する。注目画素が赤色成分画素で有る場合、欠陥画素検出装置７は、図３に示す注目画素Ｒ33を中心とする５×５画素の画素ブロックを用いて図２Ａに示すフローチャートの手順に従って欠陥画素検出を行う。
【００２１】
ステップＳ１０において、欠陥画素検出装置７は、５×５画素の画素ブロック内の赤色成分画素を用いた欠陥画素の判定によると、注目画素Ｒ33が欠陥画素であるか否かを判定する。かかる判定の一具体例としては、注目画素Ｒ33の信号レベルＬR33と注目画素Ｒ33の最も近くに存在する四つの赤色成分画素Ｒ31，Ｒ53，Ｒ35，Ｒ13の信号レベルＬR31，ＬR53，ＬR35，ＬR13との各差分Δ１〜Δ４を求め、差分Δ１〜Δ４全てが予め設定された第１の閾値（負の値）より小さければ注目画素Ｒ33が欠陥画素（より詳細には白欠陥画素）であると判定し、差分Δ１〜Δ４全てが予め設定された第２の閾値（正の値）より大きければ注目画素Ｒ33が欠陥画素（より詳細には黒欠陥画素）であると判定するという手順が挙げられる。なお、差分Δ１〜Δ４は以下の（１）式〜（４）式によって求められる。
Δ１＝ＬR31−ＬR33  ・・・（１）
Δ２＝ＬR53−ＬR33  ・・・（２）
Δ３＝ＬR35−ＬR33  ・・・（３）
Δ４＝ＬR13−ＬR33  ・・・（４）
【００２２】
ステップＳ１０において注目画素Ｒ33が欠陥画素であると判定された場合（ステップＳ１０のＹＥＳ）、後述するステップＳ４０に移行する。
【００２３】
一方、ステップＳ１０において注目画素Ｒ33が欠陥画素であると判定されなかった場合（ステップＳ１０のＮＯ）、欠陥画素検出装置７は、注目画素Ｒ33が画像の境界上の欠陥画素の可能性が有るか否かを判定する（ステップＳ２０）。具体的には、ステップＳ２０において、欠陥画素検出装置７は、注目画素Ｒ33が赤色成分の濃度境界上に有るか否かを判定する。かかる判定の一具体例としては、注目画素Ｒ33の最も近くに存在する四つの赤色成分画素Ｒ31，Ｒ53，Ｒ35，Ｒ13のうち３つの信号レベルが低く残りの１つの信号レベルが高い場合又は注目画素Ｒ33の最も近くに存在する四つの赤色成分画素Ｒ31，Ｒ53，Ｒ35，Ｒ13のうち３つの信号レベルが高く残りの１つの信号レベルが低い場合に、注目画素Ｒ33が画像の境界上の欠陥画素の可能性が有ると判定する。例えば、赤色成分の濃度境界判別用閾値Ｒthを予め設定し、上述した差分Δ１〜Δ４のうち３つが閾値Ｒthより小さく残りの１つが閾値Ｒthより大きければ、注目画素Ｒ33の最も近くに存在する四つの赤色成分画素Ｒ31，Ｒ53，Ｒ35，Ｒ13のうち３つの信号レベルが低く残りの１つの信号レベルが高い場合に該当するものとし、上述した差分Δ１〜Δ４のうち３つが閾値Ｒthより大きく残りの１つが閾値Ｒthより小さければ、注目画素Ｒ33の最も近くに存在する四つの赤色成分画素Ｒ31，Ｒ53，Ｒ35，Ｒ13のうち３つの信号レベルが高く残りの１つの信号レベルが低い場合に該当するものとすればよい。
【００２４】
ステップＳ２０において注目画素Ｒ33が画像の境界上の欠陥画素の可能性が無いと判定された場合（ステップＳ２０のＮＯ）、後述するステップＳ５０に移行する。
【００２５】
一方、ステップＳ２０において注目画素Ｒ33が画像の境界上の欠陥画素の可能性が有ると判定された場合（ステップＳ２０のＹＥＳ）、欠陥画素検出装置７は、緑色成分の濃度境界と、赤色成分の濃度境界とに相関が有るか否かを判定する（ステップＳ３０）。ここで、緑色成分の濃度境界によって区分けされる領域の緑色成分濃淡パターンと、赤色成分の濃度境界によって区分けされる領域の赤色成分濃淡パターンとが同じ場合（例えば図４において画素Ｒ31，Ｒ53，Ｒ35の信号レベルが高く画素Ｒ13の信号レベルが低く、画素Ｇ32，Ｇ43，Ｇ34の信号レベルが高く画素Ｇ23の信号レベルが低い場合）、緑色成分の濃度境界と、赤色成分の濃度境界とに相関が有ると判定される。かかる判定の一具体例としては、上述した差分Δ１〜Δ４それぞれと赤色成分の濃度境界判別用閾値閾値Ｒthとの大小関係により、赤色成分の濃度境界によって区分けされる領域の赤色成分濃淡パターンを認識し、画素Ｇ32，Ｇ43，Ｇ34，Ｇ23相互の全パターンの差分を求め、そのそれぞれの差分と予め設定した緑色成分の濃度境界判別用閾値Ｇthとの大小関係により、緑色成分の濃度境界によって区分けされる領域の緑色成分濃淡パターンを認識し、赤色成分濃淡パターンと緑色成分濃淡パターンとの比較結果に基づいて、緑色成分の濃度境界と赤色成分の濃度境界とに相関が有るか否かを判定する。
【００２６】
ステップＳ３０において緑色成分の濃度境界と赤色成分の濃度境界とに相関が有ると判定された場合（ステップＳ３０のＹＥＳ）、後述するステップＳ４０に移行する。一方、ステップＳ３０において緑色成分の濃度境界と赤色成分の濃度境界とに相関が無いと判定された場合（ステップＳ３０のＮＯ）、後述するステップＳ５０に移行する。
【００２７】
欠陥画素検出装置７は、ステップＳ４０において注目画素Ｒ33を欠陥画素として検出し、ステップＳ５０において注目画素Ｒ33を正常な画素として認識し、ステップＳ４０又はステップＳ５０の処理が終了するとフローを終了する。
【００２８】
なお、欠陥画素検出装置７が、図３に示す注目画素Ｒ33を中心とする５×５画素の画素ブロックを用いて図２Ｂに示すフローチャートの手順に従って欠陥画素検出を行うようにしてもよい。図２Ｂにおいて、図２Ａと同一のステップには同一の符号を付し詳細な説明を省略する。
【００２９】
図２Ｂに示すフローチャートは、図２Ａに示すフローチャートにステップＳ３５を加えたものである。図２Ｂに示すフローチャートでは、ステップＳ３０において緑色成分の濃度境界と赤色成分の濃度境界とに相関が有ると判定された場合（ステップＳ３０のＹＥＳ）、欠陥画素検出装置７は、５×５画素の画素ブロック内の赤色成分画素であって赤色成分の濃度境界に対して画素Ｒ33と同じ側に属する画素のみを用いた欠陥画素の判定によると、注目画素Ｒ33が欠陥画素であるか否かを判定する。かかる判定の一具体例としては、注目画素Ｒ33の最も近くに存在する四つの赤色成分画素Ｒ31，Ｒ53，Ｒ35，Ｒ13のうち赤色成分の濃度境界に対して画素Ｒ33と同じ側に属する画素のみを用い、それらの画素の信号レベルと注目画素Ｒ33の信号レベルとの各差分の全てについて、予め設定された第１の閾値（負の値）より小さければ注目画素Ｒ33が欠陥画素（より詳細には白欠陥画素）であると判定し、予め設定された第２の閾値（正の値）より大きければ注目画素Ｒ33が欠陥画素（より詳細には黒欠陥画素）であると判定するという手順が挙げられる。
【００３０】
ステップＳ３５において注目画素Ｒ33が欠陥画素であると判定された場合（ステップＳ３５のＹＥＳ）はステップＳ４０に移行し、ステップＳ３５において注目画素Ｒ33が欠陥画素であると判定されなかった場合（ステップＳ３５のＮＯ）はステップＳ５０に移行する。
【００３１】
注目画素が青色成分画素で有る場合には、欠陥画素検出装置７が、上述した注目画素が赤色成分画素で有る場合と同様の動作（上述した動作において赤色成分画素を青色成分画素に置換する）によって、欠陥画素検出を行うようにすればよい。
【００３２】
注目画素が緑色成分画素で有る場合には、欠陥画素検出装置７は、例えば、図５に示す注目画素Ｇ33を中心とする５×５画素の画素ブロック内の緑色成分画素を用いて、注目画素Ｇ33が欠陥画素であるか否かを判定する。かかる判定の一具体例としては、注目画素Ｇ33の信号レベルＬG33と注目画素Ｇ33の最も近くに存在する四つの緑色成分画素Ｇ22，Ｇ42，Ｇ24，Ｇ44の信号レベルＬG22，ＬG42，ＬG24，ＬG44との各差分Δ５〜Δ８を求め、差分Δ５〜Δ８全てが予め設定された第３の閾値（負の値）より小さければ注目画素Ｇ33が欠陥画素（より詳細には白欠陥画素）であると判定し、差分Δ５〜Δ８全てが予め設定された第４の閾値（正の値）より大きければ注目画素Ｇ33が欠陥画素（より詳細には黒欠陥画素）であると判定するという手順が挙げられる。なお、差分Δ５〜Δ８は以下の（５）式〜（８）式によって求められる。
Δ５＝ＬG22−ＬG33  ・・・（５）
Δ６＝ＬG42−ＬG33  ・・・（６）
Δ７＝ＬG24−ＬG33  ・・・（７）
Δ８＝ＬG44−ＬG33  ・・・（８）
【００３３】
また、本発明の他の実施形態として、コンピュータが、デジタルスチールカメラから出力されるベイヤー配列のデジタル画像データであるＲＡＷ形式の画像データを入力し、そのコンピュータが、図１中の画像処理装置５と同様の動作を行う実施形態が挙げられる。この場合、当該コンピュータは、本発明に係る欠陥画素検出プログラムによって、図１中の欠陥画素検出装置７と同様の動作を行う。
【図面の簡単な説明】
【００３４】
【図１】は、本発明に係るカメラ付き携帯電話装置の概略構成例を示す図である。
【図２Ａ】は、図１に示すカメラ付き携帯電話装置が備える欠陥画素検出装置の動作例を示すフローチャートである。
【図２Ｂ】は、図１に示すカメラ付き携帯電話装置が備える欠陥画素検出装置の他の動作例を示すフローチャート図である。
【図３】は、赤色成分画素である注目画素を中心とする５×５画素の画素ブロックを示す図である。
【図４】は、図３に示す画素ブロックにおいて、注目画素が画像の境界上にある状態を示す図である。
【図５】は、緑色成分画素である注目画素を中心とする５×５画素の画素ブロックを示す図である。
【符号の説明】
【００３５】
１    光学レンズ系
２    固体撮像素子
３    Ａ／Ｄ変換部
４    カメラモジュール
５    画像処理装置
６    フレームメモリ
７    欠陥画素検出装置
８    補正部
９    画像処理部
１０    データ圧縮部
１１    ＣＰＵ
１２    表示装置
１３    記憶媒体インターフェース
１４    アンテナ
１５    無線部
１６    報知部
１７    キー入力部
１８    音声入力部
１９    音声出力部
【図１】
2008131158.tif 000003
【図２Ａ】
2008131158.tif 000004
【図２Ｂ】
2008131158.tif 000005
【図３】
2008131158.tif 000006
【図４】
2008131158.tif 000007
【図５】
2008131158.tif 000008